(57)【特許請求の範囲】
【請求項１】
輸液チューブの巻取りと引出しを可能にする巻取体が、巻取ケースに内蔵され、該巻取ケースに設けた支軸に回転可能に枢着されてなる輸液チューブの巻取装置であって、
巻取体は、巻取ケースに設けてある支軸に嵌合する軸受孔を備えた中高部と、中高部の周辺のチューブ巻取部とを有し、
中高部は、チューブ巻取部に対し軸受孔の軸方向で一定高さだけ高段差状をなし、中高部の円形状をなす外周における直径上で相対する２位置と、軸受孔とを通るＳ字状をなす一定深さのチューブ装填溝部を備え、
輸液チューブの中間部は、中高部のチューブ装填溝部に嵌め込まれてＳ字状をなすように装填され、
中高部の外周における直径上で相対する２位置のチューブ装填溝部からチューブ巻取部の側に延出する輸液チューブの一端側部分と他端側部分は、チューブ巻取部の上で中高部の円形状をなす外周に沿い、かつ互いに相並ぶ周回状渦巻きをなすように巻き回され、
中高部に備えたチューブ装填溝部へ装填され、チューブ巻取部の上で巻き回された輸液チューブの巻取り状態は、巻取ケースに設けられる蓋体によって被覆されて保持され、
輸液チューブの一端側と他端側の両者が、巻取体の巻取方向回転により同時に巻取られ、又は巻取体の引き出し方向回転により同時に引き出される輸液チューブの巻取装置。
【請求項２】
前記巻取体の中高部に備えたチューブ装填溝部は溝深さｘを輸液チューブの外径ｄより浅くし、溝幅ｙを輸液チューブの外径ｄより長くし、
チューブ装填溝部に押込まれる如くに装填されて蓋体によってその装填状態を保持される輸液チューブの横断面が該チューブ装填溝部の溝幅方向で長軸をなす楕円状とされる請求項１に記載の輸液チューブの巻取装置。
【請求項３】
前記巻取体が、該巻取体に巻取られる輸液チューブの曲率半径を、該輸液チューブに折れを生ずるおそれのある最小危険曲げ半径より大きく設定してなる請求項１又は２に記載の輸液チューブの巻取装置。
【請求項４】
前記巻取体が、輸液チューブを該巻取体に巻取る巻取力を常に該輸液チューブに付与する巻取力付与手段を有してなる請求項１〜３のいずれかに記載の輸液チューブの巻取装置。
【請求項５】
前記巻取体は、
輸液チューブに引き出し外力が付与されない状態下で、巻取力付与手段が付与する巻取力による輸液チューブの巻取りを阻止する巻取ロック手段を有してなる請求項４に記載の輸液チューブの巻取装置。
【請求項６】
前記巻取体は、
輸液チューブに付与されていた引き出し外力が解除された状態下で、巻取力付与手段が付与する巻取力によって輸液チューブを一定長だけ巻取り、その後、巻取力付与手段が付与する巻取力による輸液チューブの巻取りを阻止する巻取ロック手段を有してなる請求項５に記載の輸液チューブの巻取装置。
【請求項７】
請求項１〜６のいずれかに記載の輸液チューブの巻取装置が用いられてなる輸液装置。
【発明の詳細な説明】
【技術分野】
【０００１】
本発明は、患者の体内へ各種の栄養剤、薬剤等の薬液を投与したり、血液を輸血する等の輸液装置において用いられる輸液チューブの巻取装置及び輸液装置に関する。
【背景技術】
【０００２】
一般に、輸液装置では、点滴台に吊るした輸液バッグに輸液チューブの一端側を接続し、輸液チューブの他端側に設けた針を患者の血管等に挿入し、輸液バック内の輸液を患者の体内に点滴等することとしている。
【０００３】
従来の輸液装置を構成している輸液チューブは検査等の都合により予め長めにされている。従って、検査以外のときには輸液チューブが長すぎて煩雑に絡み易い。また、患者が不用意に点滴台から離れる等によって不測の外力が輸液チューブに及ぶと、患者の血管等に挿入してあった針が血管から抜けたり、針周囲の血管や組織等をキズ付けるおそれもあった。
【０００４】
特許文献１に記載の輸液チューブの保持具では、点滴台支柱に、数個のチューブ止めを有する止め具受台を取付けることにより、輸液チューブの長めの中間部を止め具受台のチューブ止めに止め、輸液チューブを適度の長さに保持するものを提案している。
【先行技術文献】
【特許文献】
【０００５】
【特許文献１】実開平7-33348号公報
【発明の概要】
【発明が解決しようとする課題】
【０００６】
特許文献１に記載の輸液チューブの保持具にあっても、輸液チューブは長めの中間部を止め具受台のチューブ止めに止められるに過ぎない。
【０００７】
従って、輸液チューブの中間部の余分となる長い部分は、止め具受台が取付けられた点滴台支柱の周囲に引き掛けられてたるんだり、下に垂れていて煩雑な状況の解消にはなっていない。
【０００８】
また、輸液チューブの中間部が止め具受台のチューブ止めに止められたり、点滴台支柱の周囲に引っ掛け保持されている状態下で、輸液チューブに不測の外力が及ぶと、その不測の外力によって輸液チューブが自在に引き出される等がなく、外力が輸液チューブの他端側の針に及ぶのを回避する緩衝機能を期待し得ない。
【０００９】
本発明の課題は、輸液チューブを適度な長さで取り回し可能にし、かつ輸液チューブに作用する不測の外力を緩衝させ得る輸液チューブの巻取装置、及び輸液装置を提供することにある。
【課題を解決するための手段】
【００１０】
請求項１に係る発明は、輸液チューブの巻取りと引出しを可能にする巻取体が、巻取ケースに内蔵され、該巻取ケースに設けた支軸に回転可能に枢着されてなる輸液チューブの巻取装置であって、巻取体は、巻取ケースに設けてある支軸に嵌合する軸受孔を備えた中高部と、中高部の周辺のチューブ巻取部とを有し、中高部は、チューブ巻取部に対し軸受孔の軸方向で一定高さだけ高段差状をなし、中高部の円形状をなす外周における直径上で相対する２位置と、軸受孔とを通るＳ字状をなす一定深さのチューブ装填溝部を備え、輸液チューブの中間部は、中高部のチューブ装填溝部に嵌め込まれてＳ字状をなすように装填され、中高部の外周における直径上で相対する２位置のチューブ装填溝部からチューブ巻取部の側に延出する輸液チューブの一端側部分と他端側部分は、チューブ巻取部の上で中高部の円形状をなす外周に沿い、かつ互いに相並ぶ周回状渦巻きをなすように巻き回され、中高部に備えたチューブ装填溝部へ装填され、チューブ巻取部の上で巻き回された輸液チューブの巻取り状態は、巻取ケースに設けられる蓋体によって被覆されて保持され、輸液チューブの一端側と他端側の両者が、巻取体の巻取方向回転により同時に巻取られ、又は巻取体の引き出し方向回転により同時に引き出されるようにしたものである。
【００１１】
請求項２に係る発明は、請求項１に係る発明において更に、前記巻取体の中高部に備えたチューブ装填溝部は溝深さｘを輸液チューブの外径ｄより浅くし、溝幅ｙを輸液チューブの外径ｄより長くし、チューブ装填溝部に押込まれる如くに装填されて蓋体によってその装填状態を保持される輸液チューブの横断面が該チューブ装填溝部の溝幅方向で長軸をなす楕円状とされるようにしたものである。
【００１２】
請求項３に係る発明は、請求項１又は２に係る発明において更に、前記巻取体が、該巻取体に巻取られる輸液チューブの曲率半径を、該輸液チューブに折れを生ずるおそれのある最小危険曲げ半径より大きく設定してなるようにしたものである。
【００１３】
請求項４に係る発明は、請求項１〜３のいずれかに係る発明において更に、前記巻取体が、輸液チューブを該巻取体に巻取る巻取力を常に該輸液チューブに付与する巻取力付与手段を有してなるようにしたものである。
【００１４】
請求項５に係る発明は、請求項４に係る発明において更に、前記巻取体は、輸液チューブに引き出し外力が付与されない状態下で、巻取力付与手段が付与する巻取力による輸液チューブの巻取りを阻止する巻取ロック手段を有してなるようにしたものである。
【００１５】
請求項６に係る発明は、請求項５に係る発明において更に、前記巻取体は、輸液チューブに付与されていた引き出し外力が解除された状態下で、巻取力付与手段が付与する巻取力によって輸液チューブを一定長だけ巻取り、その後、巻取力付与手段が付与する巻取力による輸液チューブの巻取りを阻止する巻取ロック手段を有してなるようにしたものである。
【００１６】
請求項７に係る発明は、請求項１〜６のいずれかに記載の輸液チューブの巻取装置が用いられてなる輸液装置である。
【発明の効果】
【００１７】
（請求項１、２）
(a)巻取装置の巻取体は輸液チューブの巻取りと引き出しを可能にする。従って、検査等の都合により予め長めにされている輸液チューブが検査以外のときには長すぎる部分を巻取体に巻取られて整然とされ、検査のときには巻取体から引き出されて都合の良い長さで用いることができる。即ち、輸液チューブを適度な長さで取り回しできる。
【００１８】
また、患者が不用意に点滴台から離れる等によって不測の外力が輸液チューブに作用したときには、その不測の外力によって輸液チューブを巻取体から自在に引き出し、外力が輸液チューブの他端側の針に及ぶ等を回避する。患者の血管等に挿入してあった針が血管から抜けたり、針周囲の血管や組織等をキズ付けるおそれがなくなる。不測の外力がなくなれば、輸液チューブの当該外力によって引き出された部分を再び巻取体に巻取るものになる。即ち、輸液チューブに作用する不測の外力を緩衝できる。
【００１９】
(b)前記巻取体が、輸液チューブの一端側部分と他端側部分の両者を、同時に巻取り、又は同時に引き出し可能にする。即ち、巻取体は巻取方向回転により輸液チューブの両端側部分のそれぞれを同時に巻取り可能にする。また、巻取体は引き出し方向回転により輸液チューブの両端側部分のそれぞれを同時に引出し可能にする。
【００２０】
（請求項３）
(c)前記巻取体が、該巻取体に巻取られる輸液チューブの曲率半径を、該輸液チューブに折れを生ずるおそれのある最小危険曲げ半径より大きく設定してある。従って、輸液チューブは巻取体に巻かれた曲げ状態において、折れて通液を遮断するおそれがなく、常に安定した送液性能を維持できる。
【００２１】
（請求項４）
(d)前記巻取体が、輸液チューブを該巻取体に巻取る巻取力を常に該巻取チューブに付与する巻取力付与手段を有する。従って、輸液チューブは巻取力付与手段の巻取力によって常に巻取方向に付勢される。輸液チューブは、上記巻取力を上回るように使用者が加える引き出し外力によって引き出され、その引き出し外力が解除されると上記巻取力によって巻取り可能な状態になる。
【００２２】
（請求項５）
(e)前記巻取体は、輸液チューブに引き出し外力が付与されない状態下で、巻取力付与手段が付与する巻取力による輸液チューブの巻取りを阻止する巻取ロック手段を有する。
【００２３】
（請求項６）
(f)前記巻取体は、輸液チューブに付与されていた引き出し外力が解除された状態下で、巻取力付与手段が付与する巻取力によって輸液チューブを一定長だけ巻取り、その後、巻取力付与手段が付与する巻取力による輸液チューブの巻取りを阻止する巻取ロック手段を有する。
【００２４】
（請求項７）
(g)輸液装置において、上述(a)〜(f)を実現できる。
【図面の簡単な説明】
【００２５】
【図１】図１は輸液装置の適用例を示す模式図である。
【図２】図２は輸液チューブの巻取装置の一実施例を示す模式図である。
【図３】図３は巻取体のチューブ装填溝部に装填された輸液チューブの横断面を示す模式図である。
【図４】図４は輸液チューブの巻取装置の他の例を示す模式図である。
【図５】図５は巻取力付与手段を示す模式図である。
【図６】図６は輸液チューブの巻取装置の分解斜視図である。
【図７】図７は巻取ロック手段を示す模式図である。
【図８】図８は巻取体の変形例を示す模式図である。
【図９】図９は巻取体が備えるチューブ装填構造の変形例を示す模式図である。
【発明を実施するための形態】
【００２６】
図１に示した輸液装置１００は、輸液チューブ１０１の一端側を点滴台１０２に吊るした輸液バッグ１０３に接続し、輸液チューブ１０１の他端側に設けた針１０４を患者Ｍの血管等に挿入し、輸液バッグ１０３内の輸液を患者Ｍの体内に点滴等して送液するものである。ここで、輸液装置１００は、輸液チューブ１０１のための巻取装置１０を具備する。
【００２７】
尚、輸液チューブ１０１は、いかなる材質、サイズのものでも良いが、例えばポリブタジエンからなり、外径4.5mm、内径3.2mmのものを採用できる。
【００２８】
巻取装置１０は、図２、図６に示す如く、巻取ケース２０の内部に円盤状の巻取体３０を内蔵し、この巻取体３０に巻取力付与手段４０と、巻取ロック手段５０を付帯して備える。
【００２９】
巻取ケース２０は、ケース本体２１と、ケース本体２１に固定される枠体２２と、枠体２２にヒンジ結合される蓋体２３（蓋枠２３Ａと蓋板２３Ｂからなる）とを有して構成される。
【００３０】
巻取体３０は、ケース本体２１の中心部に設けてある支軸２４の外周に軸受孔３１を嵌合し、止ねじ３２により支軸２４の端面に取着されたカラー３３により該支軸２４から抜け止めされて該支軸２４に枢着される。巻取体３０が支軸２４に枢着されたケース本体２１の正面側外周部に枠体２２を固定することにより、ケース本体２１と枠体２２は巻取体３０の外周部を正面側と背面側の両方から挟み、該巻取体３０を回転可能状態にして保持する。
【００３１】
巻取体３０は、正面の中央部を正面視で円形状をなす中高部３４とし、中高部３４の周辺をチューブ巻取部３５としている。中高部３４はチューブ巻取部３５の平面に対し軸受孔３１の軸方向で一定高さ（概ね輸液チューブ１０１の外径と同等）だけ高段差状をなし、中高部３４の外周における直径上の相対する２位置と、軸受孔３１とを通るＳ字状をなす一定深さ（概ね輸液チューブ１０１の外径と同等）のチューブ装填溝部３４Ａを備える。
【００３２】
巻取体３０に対し、輸液チューブ１０１は中間部を中高部３４のチューブ装填溝部３４Ａに嵌め込まれてＳ字状をなすように装填され、中高部３４の外周における直径上で相対する２位置のチューブ装填溝部３４Ａからチューブ巻取部３５の側に延出する輸液チューブ１０１の一端側部分と他端側部分が、チューブ巻取部３５の上で中高部３４の外周に沿い、かつ互いに相並ぶ２条の周回状渦巻きをなすように巻き回される。輸液チューブ１０１の一端側は巻取ケース２０の枠体２２の上部に設けてある左右一対のガイドローラ２５Ａ、２５Ｂの間を通って上方に引き出され、輸液チューブ１０１の他端側は巻取ケース２０の枠体２２の下部に設けてある左右一対のガイドローラ２６Ａ、２６Ｂの間を通って下方に引き出される。
【００３３】
巻取体３０において、中高部３４のチューブ装填溝部３４Ａへ装填され、チューブ巻取部３５の上で巻き回された輸液チューブ１０１の巻取り状態は、ケース本体２１及び枠体２２に対して蓋体２３を閉鎖したとき、蓋体２３によって被覆されて保持される。閉鎖した蓋体２３は、巻取体３０に巻取られている上述の輸液チューブ１０１との間に一定の小隙間を介することにより、巻取体３０の回転及び輸液チューブ１０１の巻取り／引き出しに対する抵抗力を付与しない。
【００３４】
これにより、巻取体３０は輸液チューブ１０１の巻取りと引き出しを可能にし、巻取体３０の巻取方向回転により輸液チューブ１０１の一端側部分と他端側部分の両者を同時に巻取り、巻取体３０の引き出し方向回転（巻取方向回転に対する逆方向回転）により輸液チューブ１０１の一端側部分と他端側部分の両者を同時に引き出し可能にする。
【００３５】
尚、巻取装置１０において、図２（Ａ）は巻取体３０に巻取られる前段階の輸液チューブ１０１を示し、図２（Ｂ）は巻取体３０に巻取られた輸液チューブ１０１を示している。巻取装置１０は工場生産段階で輸液チューブ１０１を巻取体３に巻取済としても良く、又は医療現場での使用段階で輸液チューブ１０１を巻取体３０に装填して巻取るものとしても良い。
【００３６】
ここで、巻取体３０は、巻取体３０に巻取られる輸液チューブ１０１の曲率半径ｒを、該輸液チューブ１０１に折れを生ずるおそれのある最小危険曲げ半径ＫＲ（例えば15mm、好適には15mm〜25mm）より大きく設定してある（ｒ＞Ｒ）。本実施例において、輸液チューブ１０１は巻取体３０におけるＳ字状のチューブ装填溝部３４Ａに装填された部分でその曲率半径ｒ（図２（Ｂ））を最小値ｒminとし、このチューブ装填溝部３４Ａの曲率半径ｒminを最小危険曲げ半径ＫＲより大きく設定している（ｒmin＞Ｒ）。チューブ装填溝部３４Ａの曲率半径ｒminを最小危険曲げ半径ＫＲに可及的に近い値とすることにより、輸液チューブ１０１による安定した送液性を確保しながら、巻取体３０及び巻取装置１０の小形化（小径化）を実現できる。
【００３７】
図３（Ａ）に示したチューブ装填溝部３４Ａは溝幅ｗを輸液チューブ１０１の外径ｄと同等としたものであるが、図３（Ｂ）に示したチューブ装填溝部３４Ａは溝深さｘを輸液チューブ１０１の外径ｄより浅くし、溝幅ｙを輸液チューブ１０１の外径ｄより長くした。図３（Ｂ）のチューブ装填溝部３４Ａによれば、チューブ装填溝部３４Ａに押込まれる如くに装填されて蓋体２３によってその装填状態を保持される輸液チューブ１０１の横断面が該チューブ装填溝部３４Ａの溝幅方向で長軸をなす楕円状とされ、輸液チューブ１０１に折れを生ずる最小危険曲げ半径ＫＲをより小さくすることができ、巻取体３０ひいては巻取装置１０の小形化を促進できる。
【００３８】
尚、図８（Ａ）、（Ｂ）に示した巻取体３０は、中高部３４に備えるチューブ装填溝部３４Ａに図３（Ｂ）に示した溝深さｘ（ｘ＜ｄ）、溝幅ｙ（ｙ＞ｄ）を形成したとき、このチューブ装填溝部３４Ａに押込まれる如くに装填された輸液チューブ１０１の楕円状横断面を保持する押さえ板３６を付帯的に有するものである。押さえ板３６は、図９の（Ａ）から（Ｂ）に示す如くに、巻取体３０の中高部３４の表面に密着する如くに合わされて被着される。中高部３４の表面に対する押さえ板３６の合わせ面の複数カ所に設けた係止爪３６Ｋが、中高部３４の表面の対応カ所に設けた係止凹部３４Ｋに係脱される。押さえ板３６は、巻取体３０の中高部３４にヒンジ結合され、中高部３４の表面に密着する位置と、中高部３４の表面から離隔する位置との間で開閉可能にされても良い。
【００３９】
図９（Ｃ）に示した押さえ板３６は、中高部３４の表面に対する合わせ面に、中高部３４が備えるチューブ装填溝部３４ＡのＳ字状に合致するＳ字状のチューブ嵌合溝部３６Ａを備える。更に、チューブ装填溝部３４Ａとチューブ嵌合溝部３６Ａの溝底形状を楕円状にする。これにより、中高部３４のチューブ装填溝部３４Ａと押さえ板３６のチューブ嵌合溝部３６Ａに挟圧されてそれらの両溝部３４Ａ、３６Ａに装填される輸液チューブ１０１は、それらの楕円状溝底に倣う楕円状の横断面を付与され、かつ保持される。
【００４０】
図９(Ｄ)に示した巻取体３０は、中高部３４に備えるチューブ状装填溝部３４Ａの溝断面を楕円状にするとともに、その楕円状溝断面の短軸方向に位置する狭幅部（輸液チューブ１０１の外径より小さい）に中高部３４の表面に開口するＳ字状のチューブ装填口３４Ｂを設けた。これにより、輸液チューブ１０１はチューブ装填口３４Ｂから押込まれてチューブ装填溝部３４Ａに装填された後、チューブ装填溝部３４Ａの楕円状溝断面によって囲み保持され、楕円状の横断面を付与される。
【００４１】
図４に示した巻取体３０は、輸液チューブ１０１の一端側部分と他端側部分のそれぞれがチューブ巻取部３５の平面上において中高部３４の外周に沿い、かつ互いに相並ぶ２条の周回状渦巻きをなして巻き回されるように、チューブ巻取部３５の上面に予め２条をなす渦巻き状のチューブ着座凹部３５Ａを刻設したものである。チューブ着座凹部３５Ａは輸液チューブ１０１の横断面の周方向の一部のみが着座し得る程度の浅い円弧状凹部にて形成される。
【００４２】
巻取体３０は、図５、図６に示す如く、輸液チューブ１０１を巻取体３０に巻取る巻取力を常に輸液チューブ１０１に付与する巻取力付与手段４０を有する。
【００４３】
巻取力付与手段４０は、巻取体３０の背面に固定されるゼンマイばねケース４１を巻取ケース２０の支軸２４まわりに配置して備え、このゼンマイばねケース４１の内部にゼンマイばね（渦巻ばね）４２を収容する。ゼンマイばね４２は、内周端を巻取ケース２０の支軸２４に係止し、外周端をゼンマイばねケース４１のケース内周部に係止するように設けられる。ゼンマイばね４２は、巻取体３０に巻き回された輸液チューブ１０１に引き出し外力が付与されて巻取体３０が引き出し方向に回転されると、巻取体３０に固定さえているゼンマイばねケース４１を介して巻き上げられ、弾性エネルギーを保存する。巻取力付与手段４０は、ゼンマイばね４２が保存した弾性エネルギーに起因する付勢力を巻取体３０のための巻取方向回転力（巻取力という）とし、巻取体３０に巻き回された輸液チューブ１０１にこの巻取力を常に付与し、輸液チューブ１０１を巻取り可能にする。
【００４４】
巻取体３０は、図５〜図７に示す如く、輸液チューブ１０１に引き出し外力が付与されない状態下で、巻取力付与手段４０が付与する巻取力による輸液チューブ１０１の巻取りを阻止する巻取ロック手段５０を有する。
【００４５】
巻取ロック手段５０は、巻取ケース２０におけるケース本体２１の内側面においてゼンマイばねケース４１の裏面に相対する部分に設けた、半径方向に延在する凹溝５１に、板ばね５２とボール５３を配置している。ボール５３は、板ばね５２によってゼンマイばねケース４１の裏面に設けた引き出し方向回転許容溝５４Ａと、巻取方向回転阻止溝５４Ｂに向けて弾発されるとともに、凹溝５１に沿うケース本体２１の半径方向に転動自在に該凹溝５１に収容されている。
【００４６】
巻取ロック手段５１は、巻取体３０に巻き回された輸液チューブ１０１に引き出し外力が付与されて巻取体３０が引き出し方向に回転されるときには、ボール５３をゼンマイばねケース４１の引き出し方向回転許容溝５４Ａに対して巻取体３０の引き出し方向回転の周回正方向に相対移動させ、巻取体３０及びゼンマイばねケース４１をボール５３によって回転阻止されずに連続的に引き出し方向回転可能にされる。
【００４７】
巻取ロック手段５０は、巻取体３０に巻き回された輸液チューブ１０１に付与されていた引き出し外力が解除されると、巻取力付与手段４０が付与する巻取力によって巻取体３０を巻取方向に回転させるとともに、ボール５３がゼンマイばねケース４１の引き出し方向回転許容溝５４Ａに対して一定長だけ反引き出し方向に相対移動し、輸液チューブ１０１を巻取体３０に一定長だけ巻取る。輸液チューブ１０１が巻取体３０に一定長だけ巻き取られた後、ボール５３がゼンマイばねケース４１の巻取方向回転阻止溝５４Ｂに対して巻取方向にて衝合するに至ると、巻取体３０及びゼンマイばねケース４１がボール５３と巻取方向回転阻止溝５４Ｂとの上述の衝合によって回転阻止され、巻取ロック付与手段４０が付与する巻取力による輸液チューブ１０１の巻取りを阻止する。
【００４８】
従って、輸液装置１００にあっては、巻取装置１０において巻取体３０に巻き回されている輸液チューブ１０１の一端側部分（輸液バッグ１０３の側）と他端側部分（針１０４の側）の一方に引き出し外力を付与し、又はそれらの両者に引き出し外力を付与することにより、それらの両者を同時に巻取体３０から引き出しできる。そして、この引出し外力が解除されると、巻取力付与手段４０Ｂの巻取力によって輸液チューブ１０１の一端側部分と他端側部分の両者が同時に一定長だけ巻取体３０に巻取られ、その後、巻取ロック手段５０によって輸液チューブ１０１の巻取りが阻止される。
【００４９】
本実施例によれば以下の作用効果を奏する。
(a)巻取装置１０の巻取体３０は輸液チューブ１０１の巻取りと引き出しを可能にする。従って、検査等の都合により予め長めにされている輸液チューブ１０１が検査以外のときには長すぎる部分を巻取体３０に巻取られて整然とされ、検査のときには巻取体３０から引き出されて都合の良い長さで用いることができる。即ち、輸液チューブ１０１を適度な長さで取り回しできる。
【００５０】
また、患者Ｍが不用意に点滴台１０２から離れる等によって不測の外力が輸液チューブ１０１に作用したときには、その不測の外力によって輸液チューブ１０１を巻取体３０から自在に引き出し、外力が輸液チューブ１０１の他端側の針１０４に及ぶ等を回避する。患者Ｍの血管等に挿入してあった針１０４が血管から抜けたり、針周囲の血管や組織等をキズ付けるおそれがなくなる。不測の外力がなくなれば、輸液チューブ１０１の当該外力によって引き出された部分を再び巻取体３０に巻取るものになる。即ち、輸液チューブ１０１に作用する不測の外力を緩衝できる。
【００５１】
(b)前記巻取体３０が、輸液チューブ１０１の一端側部分と他端側部分の両者を、同時に巻取り、又は同時に引き出し可能にする。即ち、巻取体３０は巻取方向回転により輸液チューブ１０１の両端側部分のそれぞれを同時に巻取り可能にする。また、巻取体３０は引き出し方向回転により輸液チューブ１０１の両端側部分のそれぞれを同時に引出し可能にする。
【００５２】
(c)前記巻取体３０が、該巻取体３０に巻取られる輸液チューブ１０１の曲率半径を、該輸液チューブ１０１に折れを生ずるおそれのある最小危険曲げ半径ＫＲより大きく設定してある。従って、輸液チューブ１０１は巻取体３０に巻かれた曲げ状態において、折れて通液を遮断するおそれがなく、常に安定した送液性能を維持できる。
【００５３】
(d)前記巻取体３０が、輸液チューブ１０１を該巻取体３０に巻取る巻取力を常に該巻取チューブに付与する巻取力付与手段４０を有する。従って、輸液チューブ１０１は巻取力付与手段４０の巻取力によって常に巻取方向に付勢される。輸液チューブ１０１は、上記巻取力を上回るように使用者が加える引き出し外力によって引き出され、その引き出し外力が解除されると上記巻取力によって巻取り可能な状態になる。
【００５４】
以上、本発明の実施例を図面により詳述したが、本発明の具体的な構成はこの実施例に限られるものではなく、本発明の要旨を逸脱しない範囲の設計の変更等があっても本発明に含まれる。例えば、巻取体による輸液チューブの巻取方式は、上記実施例のものに限定されない。
【００５５】
また、巻取体は、輸液チューブの一端側部分と他端側部分の両者を同時に巻取り、又は同時に引き出し可能にすることを必須としない。巻取体は、輸液チューブの一端側部分と他端側部分の一方だけを巻取り、又は引き出し可能にするものでも良い。
【００５６】
また、巻取体は、巻取ロック手段を有することを必須としない。
【産業上の利用可能性】
【００５７】
本発明によれば、輸液チューブを適度な長さで取り回し可能にし、かつ輸液チューブに作用する不測の外力を緩衝させ得る輸液チューブの巻取装置、及び輸液装置を提供することができる。
【符号の説明】
【００５８】
１０  巻取装置
２０  巻取ケース
２３  蓋体
２４  支軸
３０  巻取体
３１  軸受孔
３４  中高部
３４Ａ  チューブ装填溝部
３５  チューブ巻取部
４０  巻取力付与手段
５０  巻取ロック手段
１００  輸液装置
１０１  輸液チューブ
【図１】
0006706480.tif 000002
【図２】
0006706480.tif 000003
【図３】
0006706480.tif 000004
【図４】
0006706480.tif 000005
【図５】
0006706480.tif 000006
【図６】
0006706480.tif 000007
【図７】
0006706480.tif 000008
【図８】
0006706480.tif 000009
【図９】
0006706480.tif 000010